(57)【特許請求の範囲】
【請求項１】
第１の天部及び第１の底部が塞がれ、第１の側面部を有するドラム缶状で、底部には、貫通された第１の孔を有し、前記第１の側面部には、上下方向に第１の切り欠き孔を有する容器と、
該容器に収納され、第２の天部及び第２の底部が塞がれ、第２の側面部を有するドラム缶状で、前記第２の底部には、前記第１の孔と連通する貫通された第２の孔を有し、粘性物を収納した伸び縮み可能な蛇腹部材と、
前記蛇腹部材の前記第２の天部に連結固定され、一方の端部が前記第１の切り欠き孔から突出して上下に移動可能な操作部材と、
前記操作部材の前記端部に固定されると共に、上又は下に移動する摺動部材と、
前記容器の側面部に連結固定され、前記第１の切り欠き孔と連通すると共に、前記操作部材の前記端部が上下方向に移動可能な第２の切り欠き孔を有し、前記摺動部材を摺動案内する案内部材と、
前記操作部材が上又は下に一定量移動する毎に、前記摺動部材と前記案内部材とが係合する係合手段と、
を備えたことを特徴とする粘性物用の食品容器。
【請求項２】
前記摺動部材は、板状で、両側面には、溝が設けられており、
前記案内部材は側面視略Ｃ形状の長尺状で、前記摺動部材の前記溝内を摺動する第１のガイド片と第２のガイド片とが離れて対向しており、
前記係合手段は、前記摺動部材の側面から突出した突起部と、前記第１又は第２のガイド片の少なくとも一方には、前記突起部と係合する複数のこぎり刃部と、
を備えたことを特徴とする請求項１に記載の粘性物用の食品容器。
【発明の詳細な説明】
【技術分野】
【０００１】
本発明は、粘性物用の食品容器に関するものである。
【背景技術】
【０００２】
従来の粘性物用の食品容器は、下記特許文献１に記載のように、マヨネーズなどの粘性物を収容する容器胴部を蛇腹状にすることにより、マヨネーズを容器から押し出す際に容器胴部を左右方向（両横方向）から圧迫するのみならず、上下方向（縦方向）からも圧迫し押圧をかけることが可能となるため、胴部内のマヨネーズなどを比較的容易に押し出すことができる。
【０００３】
しかも、本粘性物用の食品容器によれば、容器底部に設けた突起部を、容器胴部を収縮しながら、円筒状の押し出し口（抽出口）に押し込むことにより、容器胴部内のマヨネーズが少量になっても、該マヨネーズを容器胴部内から押し出すことができるものである。
【先行技術文献】
【特許文献】
【０００４】
【特許文献１】特開２００６−２５６６４７号公報
【発明の概要】
【発明が解決しようとする課題】
【０００５】
しかしながら、発明者は上記食品容器では、マヨネーズなどの粘性物を好みの量だけ取り出すには、容器胴部を押して、容器胴部のへこみ量を調整しなければならず、この調整には、いわゆる勘に頼ることになり、容器胴部の押し加減により希望している粘性物の量よりも多かったり、少なかったりする。しかも、食品容器内の粘性物が少量になると、かなり強く容器胴部を押圧しなければならず、老人、子供には取り扱いが大変であるという課題を見出した。
【０００６】
本発明は、上記のような課題を解決するためになされたもので、食品容器内の粘性物の使用量を勘に頼ることなく、適切に食品容器から取り出せると共に、食品容器内の粘性物が少量になっても、押し出し易い粘性物用の食品容器を提供することを目的とする。
【課題を解決するための手段】
【０００７】
第１の発明に係る粘性物用の食品容器は、第１の天部及び第１の底部が塞がれ、第１の側面部を有するドラム缶状で、底部には、貫通された第１の孔を有し、前記第１の側面部には、上下方向に第１の切り欠き孔を有する容器と、該容器に収納され、第２の天部及び第２の底部が塞がれ、第２の側面部を有するドラム缶状で、前記第２の底部には、前記第１の孔と連通する貫通された第２の孔を有し、粘性物を収納した伸び縮み可能な蛇腹部材と、前記蛇腹部材の前記第２の天部に連結固定され、一方の端部が前記第１の切り欠き孔から突出して上下に移動可能な操作部材と、前記操作部材の前記端部に固定されると共に、上又は下に移動する摺動部材と、前記容器の側面部に連結固定され、前記第１の切り欠き孔と連通すると共に、前記操作部材の前記端部が上下方向に移動可能な第２の切り欠き孔を有し、前記摺動部材を摺動案内する案内部材と、前記操作部材が上又は下に一定量移動する毎に、前記摺動部材と前記案内部材とが係合する係合手段と、を備えたことを特徴とするものである。
このような食品容器よれば、摺動部材を下側に押すと、案内部材に摺動部材が案内されて下側に摺動移動する。摺動部材の移動に伴って、蛇腹部材は、第２の天部が押圧されて下側に移動して収縮する。この蛇腹部材の収縮により粘性物が食品容器の孔から押し出る。さらに、摺動部材を下側に押すと、上記同様の動作により食品容器の孔から粘性物が押し出される。

【０００８】
これにより、操作部材の移動量に応じて、粘性物を食品容器から出せる。このため、使用者の勘に頼ることなく、適切に食品容器から出せる。しかも、食品容器内の粘性物が少量になっても、操作部材を下側に摺動移動して蛇腹部材を縮めて、粘性物を食品容器から押し出すことが容易できる。したがって、老人、子供にとっても扱いやすい食品容器を得ることができる。
なお、食品容器は、本体と、該本体の開放部を塞ぐ蓋部材とからなり、本体は天部が塞がれると共に、前記底部が開放され側面の上下方向に切り欠きを有する円筒状であり、蓋部材は、前記本体の前記底部に固定されると共に、先端部に蛇腹部材の第２の孔と連通する貫通孔を有することが好ましい。これにより、蛇腹部材の粘性物がすべて消費したら、食品容器の本体から蓋部材を外して蛇腹部材を交換することができる。
【０００９】
このような食品容器によれば、操作部材が下に一定量移動する毎に、摺動部材が一定量移動後に案内部材と係合して蛇腹部材が収縮する。この蛇腹部材の収縮により粘性物が食品容器の孔から一定量押し出る。
さらに、摺動部材を下側に押すと、上記同様の動作により食品容器の孔から粘性物が一定量押し出される。
【００１０】
このため、操作部材が一定量下側に摺動移動して係合して停止のたびに、粘性物が食品容器から一定量ずつ押し出る。これにより、粘性物の使用量を使用者の勘に頼ることなく、適切に食品容器から出せる。しかも、食品容器内の粘性物が少量になっても、操作部材を一定量下側に摺動移動して蛇腹部材を縮めて、粘性物を食品容器から押し出すことが容易できる。したがって、老人、子供にとっても扱いやすい食品容器を得ることができる
【００１１】
第２の発明に係る粘性物用の食品容器における摺動部材は、板状で、両側面には、溝が設けられており、前記案内部材は側面視略Ｃ形状の長尺状で、前記摺動部材の前記溝内を摺動する第１のガイド片と第２のガイド片とが離れて対向しており、
前記係合手段は、前記摺動部材の側面から突出した突起部と、前記第１又は第２のガイド片の少なくとも一方には、前記突起部と係合する複数のこぎり刃部と、を備えたことを特徴とするものである。
このような食品容器によれば、係合手段は、摺動部材から出た突起部と、ガイド片には、前記突起部と係合する複数のこぎり刃部を設けたので、簡易な構成で良く、操作部材により移動すべき一定量をのこぎり刃部のＶ形状の幅により決定できるため、一定量の決定が容易である。
なお、前記突起部は、次のように形成することが好ましい。摺動部材には、長方体形の収納溝が形成され、案内溝の一側面の中央には、収納溝と貫通している突出用孔が設けられている。収納溝には、頂部としての突起部を有すると共に、略逆く形状の弾性体である突起部材が収納されており、突出用孔から突起部材の突起部が出るように形成する。
【発明の効果】
【００１２】
本発明によれば、容器内のマヨネーズなどの粘性物の使用量を勘に頼ることなく、適切食品容器内のマヨネーズなどの粘性物の使用量を勘に頼ることなく、適切に食品容器から取り出せると共に、食品容器内の粘性物が少量になっても、押し出し易い粘性物用の食品容器を得ることができる。
【図面の簡単な説明】
【００１３】
【図１】本発明の一実施の形態による粘性物用の食品容器の正面図である。
【図２】図１に示す粘性物用の食品容器の矢視ＩＩ−ＩＩの断面図である。
【図３】図１に示す摺動部材の裏面図（ａ）、右側面図（ｂ）、左側面図（ｃ）、平面図（ｄ）である。
【図４】図１に示す案内部材の正面図（ａ）、平面図（ｂ）である。
【図５】図２に示す粘性物用の食品容器の使用状態断面図である。
【発明を実施するための最良の形態】
【００１４】
実施の形態１．
本発明の一実施の形態を図１から図４によって説明する。図１は本発明の一実施の形態による粘性物用の食品容器の正面図、図２は図１に示す粘性物用の食品容器の矢視ＩＩ−ＩＩの断面図、図３は図１に示す摺動部材の裏面図（ａ）、右側面図（ｂ）、左側面図（ｃ）、平面図（ｄ）、図４は図１に示す案内部材の正面図（ａ）、平面図（ｂ）である。
図１から図２において、食品容器１は、本体１０と、ロート状の蓋部材２０とを有している。本体１０はドラム缶状で、第１の天部１０ａと第１の底部１０ｃとを側面部を介して結合し、第１の天部１０ａが塞がれると共に、第１の底部１０ｃの中央に貫通された孔１０ｅが設けられ、側面のほぼ全域にわたって上下方向に設けられた長方形の切り欠き孔１０ｋを有している。
本体１０の側面には、長方形の切り欠き１０ｋを覆うように、板状で平面視略Ｃ形状の案内部材６０の裏面が固定されている。蓋部材２０は、ロート状で本体１０の第１の底部１０ｃの端部に固定され、中央に円筒状の貫通孔２０ｅが設けられている。
【００１５】
図２において、本体１０の内部には、ドラム缶状で、第２の天部３０ａと第２の底部３０ｃとを側面部を介して結合し、第２の天部３０ａが閉塞され、第２の底部３０ｃの中央に貫通した孔３０ｅが設けられ、マヨネーズ３５などの粘性物を有すると共に、上下方向に伸び縮み可能な蛇腹部材３０を有しており、蛇腹部材３０の側面部が本体１０の内側面と当接するように形成されている。これにより、本体１０の内部を蛇腹部材３０が案内されながら収縮できる。
蛇腹部材３０の第２の天部３０ａが下端部４０ａにほぼ水平に連結固定され、一方の端部４０ｃが本体１０の切り欠き孔１０ｋから突出した板状の操作部材４０を有している。操作部材４０の端部４０ｃには、固定された板状で小判形の摺動部材５０を有している。本体１０の側面には、摺動部材５０を上下に摺動案内する案内部材６０が固定されている。
【００１６】
図３において、摺動部材５０は略小判状で、表側には、人の指がかかり易いように、でこぼこ部５０ｍが設けられ、裏側には、均一の深さの長方体形の収納溝５０ｕが形成され、側面部の周囲全体に略凹形状の案内溝５０ｇが設けられており、案内溝５０ｇの一側面の中央には、収納溝５０ｕと貫通している突出用孔５０ｅが設けられている。
摺動部材５０の収納溝５０ｕには、頂部としての突起部５２ｔを有すると共に、略逆く形状の突起部材５２が収納されており、突出用孔５０ｅから僅かに突起部材５２の突起部５２ｔが出るように形成されている。突起部材５２は金属製の板状の弾性体から成っている。
【００１７】
図４において、案内部材６０は平面視略Ｃ形状で、容器１０の切り欠き孔１０ｅとほぼ同一形状の貫通した長方形の孔６０ｋが設けられ、摺動部材５０の案内溝５０ｇを摺動案内する板状の第１のガイド片６０ｈと，第１のガイド片６０ｈと対向する板状の第２のガイド片６０ｆを有すると共に、第１のガイド片６０ｈ，第２のガイド片６０ｆどうしが間隔を隔て形成されている。
そして、第２のガイド片６０ｆには、摺動部材５０の突起部５２ｔと係合するこぎり刃部６０ｎを複数有している。係合手段は、摺動部材５０の突起部５２ｔと一定間隔毎に係合する複数のこぎり刃部６０ｎとから成っている。
【００１８】
このように、構成された粘性物用の食品容器から粘性物を押し出す動作を図１及び図２、図５を主にして説明する。図５は図２に示す粘性物用の食品容器の使用状態を示す断面図である。
まず、食品容器１の摺動部材５０を下側に押し下げると、摺動部材５０の案内溝５０ｇが案内部材６０の第１及び第２のガイド片６０ｈ，６０ｆに案内されて下側に摺動移動し、摺動部材５０の突起５２ｔがのこぎり部６０ｎに係合して停止する。これにより、摺動部材５０に連結された操作部材４０が下側に一定量移動して蛇腹部材３０を縮めて蛇腹部材３０内のマヨネーズ３５の一定量が食品容器１の孔から押し出る。
【００１９】
さらに、摺動部材５０を下側に押し下げると、上記同様の動作により食品容器１の孔からマヨネーズ３５が一定量押し出る。
このように、摺動部材５０を下側に押し下げると、摺動部材５０が下側に一定量摺動移動し、のこぎり部６０ｎに係合して停止する。このたびに、食品容器１から一定量ごとマヨネーズ３５を出すことができる。マヨネーズ３５の使用量を勘に頼ることなく、適切に食品容器１から出せる。しかも、食品容器１内のマヨネーズ３５が少量になっても、摺動部材５０を下側に摺動移動して蛇腹部材３０を縮めて、マヨネーズ３５を食品容器１から押し出すことが容易にできる。したがって、老人、子供にとっても扱いやすい食品容器１を得ることができる。
【００２０】
本発明は、上記発明の実施の形態の説明に何ら限定されるものではない。特許請求の範囲の記載を逸脱せず、当業者が容易に想到できる範囲で種々の変形態様も本発明に含まれる。
【符号の説明】
【００２１】
１  食品容器、１０  容器本体、２０  蓋、３０  蛇腹部材、４０  摺動部材５０  摺動部材、６０  案内部材。
【要約】      （修正有）【課題】マヨネーズなどの粘性物の使用量を勘に頼ることなく、適切に食品容器から取り出せること。【解決手段】該容器１０に収納され、第２の天部３０ａ及び第２の底部３０ｃが塞がれ、第２の側面部３０ｈを有するドラム缶状で、第２の底部３０ｃには、第１の孔１０ｅと連通する貫通された第２の孔３０ｅを有し、マヨネーズ３５を収納した伸び縮み可能な蛇腹部材３０と、蛇腹部材３０の第２の天部３０ａに一端部が連結固定され、他端部が切り欠き孔１０ｋから突出した操作部材４０と、操作部材４０の端部を摺動しながら上又は下に案内移動する摺動部材５０と、を備えたものである。【選択図】図２【図１】
0005876604.tif 000002
【図２】
0005876604.tif 000003
【図３】
0005876604.tif 000004
【図４】
0005876604.tif 000005
【図５】
0005876604.tif 000006